(57)【特許請求の範囲】
【請求項１】
ユーザ端末を使用するユーザに対して、リアル圃場での栽培と連動させた農作物の栽培シミュレーションゲームを提供するシミュレーションサーバを備える農作物栽培連動システムにおいて、
前記シミュレーションサーバは、
前記栽培シミュレーションゲーム上でバーチャル栽培されるバーチャル農作物に関して、当該バーチャル農作物の収量を決定する収量パラメータを含む栽培状況を記録する栽培状況記録部と、
前記ユーザ端末を介したユーザの指示に基づいて、前記栽培シミュレーションゲーム上において、前記収量パラメータを含む前記栽培状況を更新しながら前記バーチャル農作物を自動的に成長させる自動成長制御部と、
前記リアル圃場で栽培されるリアル農作物の収量を減少させる災害が発生したとの情報を受信すると、前記収量パラメータを強制的に減少させるための補正処理を行う成長補正制御部と、
前記収量パラメータに応じて、収穫される前記リアル農作物のユーザへの配分量を決定する配分量決定部と、
を備えることを特徴とする農作物栽培連動システム。
【請求項２】
前記栽培状況記録部は、ユーザによる前記バーチャル農作物の作付け単位であるフィールド内に所定の数で初期設定されるユニット毎に前記栽培状況を記録すると共に、前記収量パラメータとして、前記ユニット毎の生死情報を記録しており、
前記配分量決定部は、収穫時に前記フィールド内に生き残っている前記ユニットの数である残存ユニット数に応じてユーザへの配分量を決定する、ことを特徴とする請求項１記載の農作物栽培連動システム。
【請求項３】
前記成長補正制御部は、前記災害が発生したとの情報が受信された場合に、前記フィールド内に生き残っている前記ユニットを強制的に消滅させる補正処理を行うことを特徴とする請求項２記載の農作物栽培連動システム。
【請求項４】
前記栽培状況記録部は、前記収量パラメータとして、前記ユニット毎に当該ユニットの元気度をさらに記録しており、
前記配分量決定部は、前記リアル農作物の収量が前記バーチャル農作物の収量よりも少ない場合に、前記元気度の低い順に前記ユニットを足切りし、足切りされた前記ユニットの数分だけ差し引いてユーザへの配分量を決定することを特徴とする請求項２又は３記載の農作物栽培連動システム。
【請求項５】
ユーザに前記リアル農作物の配分量を最低限保証するために、前記バーチャル農作物の品種毎に、前記フィールド内に生き残らせる最低ユニット数を記録する農作物情報記録部をさらに備え、
前記自動成長制御部及び前記成長補正制御部は、前記残存ユニット数が前記最低ユニットを下回らないように処理することを特徴とする請求項２乃至４何れか１項に記載の農作物栽培連動システム。
【請求項６】
コンピュータに、リアル圃場での栽培と連動させた農作物の栽培シミュレーションゲームを提供させるための農作物栽培連動プログラムにおいて、
前記コンピュータの記憶装置に、前記栽培シミュレーションゲーム上でバーチャル栽培されるバーチャル農作物に関して、当該バーチャル農作物の収量を決定する収量パラメータを含む栽培状況を記録させる栽培状況記録ステップと、
前記栽培シミュレーションゲーム上において、前記収量パラメータを含む前記栽培状況を更新しながら前記バーチャル農作物を自動的に成長させる自動成長ステップと、
前記リアル圃場で栽培されるリアル農作物の収量を減少させる災害が発生したとの情報を受信すると、前記収量パラメータを強制的に減少させるための補正処理を行う成長補正ステップと、
前記収量パラメータに応じて、収穫される前記リアル農作物のユーザへの配分量を決定する配分量決定ステップと、
を前記コンピュータに実行させることを特徴とする農作物栽培連動プログラム。
【発明の詳細な説明】
【技術分野】
【０００１】
本発明は、実際の農場での栽培と連動させた農作物の栽培シミュレーションゲームを提供する農作物栽培連動システムに関する。
【背景技術】
【０００２】
従来から、コンピュータ上で農作物の栽培を疑似体験できる栽培シミュレーションゲームが提供されており、ゲームの参加者は、農作物栽培の楽しみを味わうことができる。
【０００３】
また、下記特許文献１及び２には、栽培シミュレーションゲームを体験してもらうだけでなく、栽培シミュレーションゲームの終了後に、ゲームの成績に応じて実際の農作物の収穫物を得られるようにしたシミュレーションシステムが開示されている。
【先行技術文献】
【特許文献】
【０００４】
【特許文献１】特開２００２−３１２４２１号公報
【特許文献２】特開２００４−６２８４９号公報
【発明の概要】
【発明が解決しようとする課題】
【０００５】
しかし、上記特許文献１及び２においては、栽培シミュレーションゲーム内で栽培していたのと同じ農作物であって、ゲームの成績に応じた質や量の農作物が送付されてくるだけであり、実際の農作物栽培と連動していないため、現実性に欠ける。
【０００６】
また、上記特許文献１及び２においては、シミュレーションゲームの成績が良いユーザには、所定の量の農作物を送る必要があるが、実際の農作物の栽培では、真面目に上手く栽培していたとしても、台風や獣害等の自然災害によって収量が大きく減少する場合も多い。しかし、従来のシミュレーションでは、このようなケースであっても予め決められた多くの農作物を送らければならないため、サービス提供者側の負担が大きい。
【０００７】
本発明は、このような課題に鑑みてなされたものであり、実際の農作物の栽培に連動させることができ、現実性の高い農作物の栽培シミュレーションゲームをユーザに提供することができる農作物栽培連動システムを提供することを目的とする。
【課題を解決するための手段】
【０００８】
上記課題を解決するために、本発明に係る農作物栽培連動システムは、ユーザ端末を使用するユーザに対して、リアル圃場での栽培と連動させた農作物の栽培シミュレーションゲームを提供するシミュレーションサーバを備える農作物栽培連動システムにおいて、前記シミュレーションサーバは、前記栽培シミュレーションゲーム上でバーチャル栽培されるバーチャル農作物に関して、当該バーチャル農作物の収量を決定する収量パラメータを含む栽培状況を記録する栽培状況記録部と、前記ユーザ端末を介したユーザの指示に基づいて、前記栽培シミュレーションゲーム上において、前記収量パラメータを含む前記栽培状況を更新しながら前記バーチャル農作物を自動的に成長させる自動成長制御部と、前記リアル圃場で栽培されるリアル農作物の収量を減少させる災害が発生したとの情報を受信すると、前記収量パラメータを強制的に減少させるための補正処理を行う成長補正制御部と、前記収量パラメータに応じて、収穫される前記リアル農作物のユーザへの配分量を決定する配分量決定部と、を備えることを特徴とする。
【０００９】
また、本発明に係る農作物栽培連動プログラムは、コンピュータに、リアル圃場での栽培と連動させた農作物の栽培シミュレーションゲームを提供させるための農作物栽培連動プログラムにおいて、前記コンピュータの記憶装置に、前記栽培シミュレーションゲーム上でバーチャル栽培されるバーチャル農作物に関して、当該バーチャル農作物の収量を決定する収量パラメータを含む栽培状況を記録させる栽培状況記録ステップと、前記栽培シミュレーションゲーム上において、前記収量パラメータを含む前記栽培状況を更新しながら前記バーチャル農作物を自動的に成長させる自動成長ステップと、前記リアル圃場で栽培されるリアル農作物の収量を減少させる災害が発生したとの情報を受信すると、前記収量パラメータを強制的に減少させるための補正処理を行う成長補正ステップと、前記収量パラメータに応じて、収穫される前記リアル農作物のユーザへの配分量を決定する配分量決定ステップと、を前記コンピュータに実行させることを特徴とする。
【発明の効果】
【００１０】
本発明に係る農作物栽培連動システムよれば、実際の農作物の栽培に連動させることができ、現実性の高い農作物の栽培シミュレーションゲームをユーザに提供することができる。
【図面の簡単な説明】
【００１１】
【図１】図１は、本発明の実施形態に係る農作物栽培連動システムの構成を概略的に示す模式図である。
【図２】図２は、本発明の実施形態に係るシミュレーションサーバの構成を概略的に示す模式図である。
【図３】図３は、本発明の実施形態に係るシミュレーションサーバの機能を概略的に示すブロック図である。
【図４】図４は、本発明の実施形態に係るリアル圃場の栽培区分けを示す模式図である。
【図５】図５は、本発明の実施形態に係る農作物栽培連動システムによる栽培連動処理の流れを示すフローチャートである。
【図６】図６は、本発明の実施形態に係る栽培状況ＤＢに記録される栽培状況の一部の内容を示す図である。
【図７】図７は、本発明の実施形態に係るユーザ端末上に表示されるバーチャル圃場を示す図である。
【発明を実施するための形態】
【００１２】
以下、図面を参照しながら、本発明の実施形態に係る農作物栽培連動システムについて詳細に説明する。本実施形態では、農作物栽培連動システムが提供する仮想の栽培シミュレーションゲーム上での農作物のバーチャル栽培と、実際の農場でのリアル栽培とを連動させており、栽培シミュレーションゲーム上でのユーザの指示に基づき、実際の農場内のリアル圃場でリアル農作物の栽培を行うと共に、リアル圃場で収穫されたリアル農作物がゲームのユーザに実際に配分される。
【００１３】
そして、本実施形態に係る農作物栽培連動システムでは、栽培シミュレーションゲーム上でのバーチャル農作物の収量を、リアル農作物の収量になるべく近づけるように連動させる処理を行っている。
【００１４】
図１は、本実施形態に係る農作物栽培連動システムの構成を概略的に示す模式図である。同図に示すように、農作物栽培連動システム１は、バーチャル農作物の栽培シミュレーションゲームを提供するためのシミュレーションサーバ１０と、栽培シミュレーションゲームのサービスを利用するユーザが使用するユーザ端末２０と、リアル圃場で農作業に従事する作業者が使用する作業者端末３０と、を備えている。
【００１５】
シミュレーションサーバ１０とユーザ端末２０は、インターネットや専用線等のネットワーク５によって接続されており、作業者端末３０は無線の基地局８を介してネットワーク５に接続されている。よって、シミュレーションサーバ１０、ユーザ端末２０及び作業者端末３０の間では、データ通信が可能である。
【００１６】
続いて、図２及び図３を参照しながら、シミュレーションサーバ１０の構成について説明する。図２は、本実施形態に係るシミュレーションサーバの構成を概略的に示す模式図、図３は、本実施形態に係るシミュレーションサーバの機能を概略的に示すブロック図である。
【００１７】
図２に示すように、シミュレーションサーバ１０は、各種演算を行うＣＰＵ等の演算装置１１と、各種情報を記録しておくＨＤＤやフラッシュメモリ、演算処理のワークエリアとして機能するＲＡＭ等からなる記憶装置１３と、を備えている。シミュレーションサーバ１０は、栽培シミュレーションゲームの提供業者が設置するサーバである。
【００１８】
記憶装置１３は、シミュレーションサーバ１０において後述する所定の処理を実行するための各種プログラムを格納しておくプログラム格納部１３１と、栽培シミュレーションゲームの利用者として登録しているユーザに関する各種情報を記録しておくユーザ情報ＤＢ（データベース）１３２と、栽培シミュレーションゲームにおいて栽培される農作物に関する各種情報を記録しておく農作物情報ＤＢ１３３と、栽培シミュレーションゲームのコンテンツの情報を記録しておくコンテンツ情報ＤＢ１３４と、栽培シミュレーションゲーム上でのバーチャル農作物の栽培状況を記録しておく栽培状況ＤＢ１３５と、を備えている。
【００１９】
プログラム格納部１３１は、栽培シミュレーションゲームを提供するための各種プログラムを格納している。各種プログラムとしては、農作物情報ＤＢ１３３を参照しながらユーザが作付けを指示した各種農作物を栽培シミュレーションゲーム上で自動的に成長させる自動成長プログラムや、栽培シミュレーションゲーム上でのバーチャル農作物の成長をリアル圃場での成長に連動させるべく手動で補正するための成長強制補正プログラム等が含まれる。
【００２０】
ユーザ情報ＤＢ１３２は、栽培シミュレーションゲームに登録した各ユーザのＩＤ、パスワード、住所等のユーザ情報を記録している。農作物情報ＤＢ１３３は、栽培シミュレーションゲーム上で栽培される農作物に関して、各農作物の名称、説明、初期ユニット数、最低ユニット数、作付け可能期間、成長フェーズ情報、病害情報、虫害情報等を記録している。
【００２１】
コンテンツ情報ＤＢ１３４は、栽培シミュレーションゲームを構成する画面情報等、各種コンテンツ情報を記録している。栽培状況ＤＢ１３５は、栽培シミュレーションゲーム上でユーザが作付けしたバーチャル農作物の成長状況に関する栽培状況を記録しており、栽培状況には、後述する収量パラメータである残存ユニット数及び各ユニットの元気度が含まれている。栽培状況の詳細については、後述する。
【００２２】
また、図３に示すように、シミュレーションサーバ１０は、自動成長部５１と、成長補正部５２と、配分決定部５５とを備えている。自動成長部５１は、栽培シミュレーションゲーム上で栽培されるバーチャル農作物を、予め定められた自動成長アルゴリズムに従って自動的に成長させる。このような自動成長部５１の機能は、演算装置１１が、農作物情報ＤＢ１３３の情報を参照しながら、プログラム格納部１３１に格納されている自動成長プログラムを実行することで実現され、成長結果は、栽培状況ＤＢ１３５に記録される。
【００２３】
成長補正部５２は、作業者端末３０を介した作業者の指示に基づき、自動成長しているバーチャル農作物の成長状況を強制的に補正する。このような成長補正部５２の機能は、演算装置１１が、プログラム格納部１３１に格納されている成長強制補正プログラムを実行することで実現される。
【００２４】
配分決定部５５は、作業者端末３０から受信するリアル農作物の収量に基づいて、バーチャル農作物を栽培しているユーザに対する、リアル農作物の収穫物の配分量を決定する。このような配分決定部５５の機能は、作業者端末３０へのリアル収量の入力情報に基づき、演算装置１１が、プログラム格納部１３１に格納されている配分決定プログラムを実行することで実現される。
【００２５】
ユーザ端末２０は、ユーザが使用するＰＣであり、各種演算処理を行う演算装置と、各種情報を記憶しておくと共に演算処理のワークエリアとして機能する記憶装置と、各種情報を表示するディスプレイ２３と、を備えている。ユーザ端末２０としては、デスクトップ型のＰＣだけでなく、ノート型ＰＣ、スマートフォンを含む携帯電話、タブレット型コンピュータ、ＰＤＡ（personal Digital Assistant）、ネットブック、ゲーム機等、種々の端末を利用することが可能である。
【００２６】
作業者端末３０は、農作業者がリアル農場で使用する携帯端末であり、スマートフォンを含む携帯電話、タブレット型コンピュータ、ＰＤＡ等、種々の端末を使用することができる。作業者端末３０は、各種演算処理を行う演算装置と、各種情報を記憶しておくと共に演算処理のワークエリアとして機能する記憶装置と、作業者が各種情報を端末に入力するための入力装置としてのキーボード３１と、写真を撮影するためのカメラ３２と、各種情報を表示するディスプレイ３３と、を備えている。
【００２７】
リアル農場での作業者は、作業者端末３０を使うことで、カメラ３２でリアル農作物の成長状況を撮影し、シミュレーションサーバ１０に送信したり、リアル農作物の成長状況に関する情報をキーボード３１から入力してシミュレーションサーバ１０に送信したりすることができる。
【００２８】
以上、農作物栽培連動システム１の構成について説明したが、続いて、本システム１が提供するリアル栽培と連動した栽培シミュレーションゲームの内容について、図面を参照しながら説明する。まず、バーチャル栽培と連動したリアル圃場での栽培方法について説明する。図４は、本実施形態に係るリアル圃場の栽培区分けを示す模式図である。
【００２９】
同図に示すように、リアル圃場は、畝に相当するブロックに区分けされ、ブロック毎に栽培する農作物の種別が設定されており、同じブロックには同じ農作物が作付けされる。図４では、ブロック１にレタス、ブロック２に小松菜、ブロック３にスイカが作付けされている。
【００３０】
また、各ブロックは、複数のフィールドに分割されている。栽培シミュレーションゲームでは、ユーザは、バーチャル栽培にあたって、バーチャル圃場を一区画借りると共に、バーチャル農作物の一区画分の種子（苗）を購入して、バーチャル農作物の栽培を行うように構成されている。
【００３１】
このバーチャル圃場の区画（バーチャルフィールド）に対応して、リアル圃場でも各ブロックが複数の区画（リアルフィールド）に区分けされている。バーチャル圃場において所定の一区画（一バーチャルフィールド）に対して作付けが行われると、連動して、リアル圃場においても、作業者が一つのリアルフィールドに対して同じ農作物の作付けを行う。
【００３２】
また、フィールド内には、農作物の株に相当するユニットが設定されている。また、農作物毎に初期に与えられる初期ユニット数が設定されている。例えば、図４に示すように、レタスの初期ユニット数は5個、小松菜の初期ユニット数は10個、スイカの初期ユニット数は2個に設定されている。収穫時には、ユーザは、バーチャルフィールドに生き残っているユニットの数である残存ユニット数（収量パラメータ）に応じて、収穫物を配分される。
【００３３】
リアルフィールドにおける農作物の収量は季節や災害等の種々の要因によって変動するため、本実施形態では、バーチャルフィールドにおける残存ユニット数をゲーム上で調整することで、栽培シミュレーションゲーム上のバーチャル収量をリアル圃場でのリアル収量にできるだけ連動させて近づけるようにしている。
【００３４】
次に、図５を参照しながら、栽培シミュレーションゲームでのバーチャル栽培とリアル農場でのリアル栽培との連動について説明する。図５は、本実施形態に係る農作物栽培連動システムによる栽培連動処理の流れを示すフローチャートである。なお、シミュレーションサーバ１０、ユーザ端末２０及び作業者端末３０における種々の処理は、各装置の演算装置が所定のプログラムを実行することで実現される。
【００３５】
まず、Ｓ１０において、栽培シミュレーションゲームに登録済みのユーザが、ユーザ端末２０を介して、所望の農作物の種子（苗）を購入して作付けを指示すると、指示情報がネットワーク５を介してシミュレーションサーバ１０へと送信される（Ｓ１１）。
【００３６】
指示を受けたシミュレーションサーバ１０は、Ｓ１２において、他のユーザからの指示も含めて作付けを集計し、作付け指示の一覧表を作成する。この作付け集計は、例えば、一日一回、24時に実行されるようにすれば良い。集計された作付け一覧情報は、集計後、作業者端末３０へとネットワーク５を介して送信される（Ｓ１３）。翌日、作業者は、Ｓ１４において作業者端末３０上に表示された一覧表を見ながら、リアル圃場において作付け作業を行うことができる（Ｓ１５）。
【００３７】
なお、本実施形態では、同じ日に作付けされる同じ農作物のフィールドには、同じ作業番号が付され、以降は、リアル農場において作業番号毎に管理される。つまり、後述する成長強制補正や収穫時の配分は作業番号単位で行われる。
【００３８】
Ｓ１５の作付けが完了すると、作業者は、Ｓ１６で作付け作業が完了したことを作業者端末３０に入力する。入力された作付け完了の情報は、Ｓ１７でシミュレーションサーバ１０へと送信される。
【００３９】
作付け完了情報を受信したシミュレーションサーバ１０は、Ｓ１８において、栽培状況ＤＢ１３５を更新し、作付けされた農作物の情報を追加する。ここで、図６を参照しながら、栽培状況ＤＢ１３５に記録されている情報について説明する。図６は、栽培状況ＤＢ１３５に記録される栽培状況の一部の内容を示す図である。
【００４０】
同図に示すように、栽培状況は、上述したユニット単位で記録されており、各レコードは、「レコードNo.」、「作業番号」、「ユーザ」、「農作物」、「ブロック」、「フィールド」、「ユニット」、「生死」及び「元気度」の情報を含んでいる。「作業番号」は、上述したリアル農場での栽培管理単位であり、同日に作付けされた同一の農作物のユニットには、同じ作業番号が付される。
【００４１】
「ユーザ」は、栽培シミュレーションゲームに登録したユーザのユーザ識別子（ＩＤ）であり、「農作物」は、農作物の品種を表す識別子である。「ブロック」は、圃場におけるブロック番号、「フィールド」は、各ブロックにおけるフィールド番号、「ユニット」は、各フィールドにおけるユニット番号である。なお、本実施形態では、「作業番号」、「農作物」、「ブロック」の情報は、バーチャル圃場とリアル圃場とで共通番号として管理されている。
【００４２】
「生死」は、各ユニットの農作物が生き残っているか、枯死等により消滅しているかの生死を示す情報であり、「元気度」は、各ユニットのバーチャル農作物の元気度が百分率［％］で示されている。本実施形態では、収穫時に生き残っている残存ユニット数と収穫時の元気度が、収穫物のユーザへの配分量を左右する収量パラメータとなる。
【００４３】
作付けされて栽培状況ＤＢ１３５に記録された農作物の成長状況に関しては、ユーザがユーザ端末２０からシミュレーションサーバ１０にアクセスする（Ｓ２０）ことで、当該ユーザが栽培する農作物の成長状況がゲームのコンテンツ情報と共にユーザ端末２０へと送信され、バーチャル圃場の様子がディスプレイ２３上に表示される（Ｓ２３）。もちろん、このバーチャル圃場の表示は、作付け後、任意のタイミングで行うことができる。
【００４４】
図７は、本実施形態に係るユーザ端末上に表示されるバーチャル圃場を示す図であり、図７（ａ）は、水菜が栽培されているバーチャル圃場、図７（ｂ）は、キャベツが栽培されているバーチャル圃場の様子を示している。なお、図示されているように、図７（ａ）の水菜の残存ユニット数は、23個であり、図７（ｂ）のキャベツの残存ユニット数は、6個である。
【００４５】
一方、作付けされたバーチャル農作物は、自動成長部５１によって自動的に成長させられ（Ｓ２５）、栽培状況ＤＢ１３５の栽培状況が適宜更新される。自動成長部５１は、各ユニットの「生死」及び「元気度」を調整する機能を有している。また、自動成長部５１は、各ユニットの農作物を発芽、成長１、成長２、成長３、収穫待ち等のフェーズ毎に成長させ、バーチャル圃場の各ユニットに表示されるバーチャル農作物の画像をフェーズに合わせて変更する機能も有する。
【００４６】
「元気度」の調整に関しては、ユーザが栽培シミュレーションゲーム上での水遣りや肥料の散布、雑草除去等の栽培指示を怠けている場合等に、自動成長部５１によって、該当するユニットの元気度が、毎日所定の割合ずつ（例えば、3％）下げられる。
【００４７】
また、自動成長部５１は、品種毎に設定された所定の時期に、バーチャル農作物に、所定の害病や害虫を発生させる機能を有している。バーチャル農作物が病気にかかっているたり、バーチャル農作物に虫が付いている間は、毎日所定の割合で元気度が下げられる。ユーザは、ゲーム上で病気を治すための薬剤を与えたり、虫を除去したりすることで、元気度の低下を止めることができる。
【００４８】
また、「生死」の調整に関しては、作付け時には、一フィールド内に初期ユニット数分のユニットが与えられる。一方、本実施形態の栽培シミュレーションゲームにおいて、所定のユニットを消滅させるケースとして、三つのケースが設定されている。
【００４９】
一つ目のケースは、作付け時の発芽率によって所定のユニットが発芽しないで消滅するケースである。この発芽率の設定は、季節によって収量が大きく左右される農作物について、収量が減少する時期に発芽率を低く設定することで、発芽段階でユニット数を減少させることができる。これにより、バーチャル栽培での収量をリアル栽培での収量に近づけることができる。
【００５０】
二つ目は、栽培中に所定のユニットの元気度が0になって枯死するケースである。上述したように、ゲーム上でユーザが水遣りや肥料の供与、害虫の除去等をさぼったりすると元気度が減少する。そして、元気度が0になったユニットの農作物は枯死し、ユニット数が減少する。これら、一つ目と二つ目のケースは、自動成長部５１によって実施される。
【００５１】
三つ目は、リアル圃場において、台風や冷害等の事前災害、イタチや猪等の獣害などの大きな災害が発生したときに、作業者の指示により、バーチャル農作物の収量を連動させて減少させるために強制的に行われるケースである。これは、後述する成長補正部５２によって実施される。
【００５２】
なお、本実施形態では、全てのユーザに最低限の収穫物を分配するために、品種毎に最低ユニット数が設定されており、バーチャル上の各フィールドの残存ユニット数が最低ユニット数未満にならないように、自動成長部５１及び成長補正部５２が制御している。よって、ユーザがバーチャル栽培での作業を全く行わなかったり、大規模な事前災害によってリアル圃場の収量が大きく減少したりしたとしても、各フィールドにおいては、最低ユニット数を下回るようにユニットが消滅させられることはない。
【００５３】
一方、リアル圃場においては、ユーザに指示により作付けされたリアル農作物の栽培が、作業者によって行われる。作業者は、適宜、水遣り、肥料の散布を行って、リアル農作物を成長させる。
【００５４】
ここで、Ｓ３０において、リアル農作物の収量を減少させるような災害がリアル農場で発生した場合には、栽培シミュレーションゲーム上の収量も減少させるような強制補正処理を行う必要がある。本実施形態では、収量を減少させる災害を、大きく収量を下げる大災害（台風や冷害等の自然災害、イタチや猪等の獣害）と、小さく収量を下げる小災害（病害、虫害）とに分けて、補正処理の内容を異ならせている。
【００５５】
Ｓ３０において災害が発生すると、作業者は、災害の状況を確認し、Ｓ３１において、作業者端末３０に災害の種別、被害規模及び災害が発生した場所（作業番号）を含む災害情報を入力する。入力された災害情報は、Ｓ３２において、作業者端末３０からシミュレーションサーバ１０へと送信される。
【００５６】
災害情報を受信したシミュレーションサーバ１０は、受信した災害情報の内容に基づいて、栽培状況ＤＢ１３５内に記録されている栽培状況を強制的に補正して（Ｓ３３）、更新する。具体的には、大災害の場合、成長補正部５２は、災害を受けた区域に位置する作業番号に属するフィールド内のユニットを所定の数だけ枯死させ、残存ユニット数を減少させる。
【００５７】
例えば、台風による自然災害によりリアル圃場全体にわたって3割の農作物が枯れてしまった場合には、そのリアル圃場に含まれる全てのフィールドに対応するバーチャルフィールドの残存ユニット数を3割ずつ減少させる。これにより、リアル農作物の収量が大災害により大きく減少するのに連動させて、バーチャル農作物の収量も同じように減少させることができる。
【００５８】
なお、このように大災害に連動させてユニット数を減少させ場合には、大災害が発生してユニット数が減少した旨のメッセージが、災害を受けたリアル圃場の写真等と共にバーチャル圃場に表示され、ユーザに知らされるように構成されている。
【００５９】
一方、小災害の場合には、成長補正部５２は、災害を受けた作業番号に属するフィールドに対応するバーチャルフィールド内の各ユニットの元気度を災害が除去されるまで、毎日一定の割合（例えば、3％）で減少させる。
【００６０】
小災害は、病害や虫害の発生であり、作業者がリアル圃場において、収量に影響を与えそうな病害や虫害の発生を確認したときに、災害情報の入力を行って強制補正を行わせる。なお、ユーザが栽培シミュレーションゲーム内で病気を治したり害虫を除去したりすると、元気度の減少は停止する。
【００６１】
このように、小災害の場合、直接ユニット数を減少させる大災害の場合と比べるとバーチャル収量を減少させる程度は小さいが、元気度が0まで減少したユニットのバーチャル農作物は枯死するため、小災害であってもバーチャル収量を減少させることにつながる。
【００６２】
次に、農作物の収穫時期が近づくと、Ｓ３５〜Ｓ４０において、ユーザに対してリアル収穫物の配分量を伝える処理が行われる。本実施形態では、収穫の一週間前に収量が伝えられる。まず、Ｓ３５において、収穫時期の一週間前に、作業者がリアル圃場の農作物の生育状況を作業番号単位で観察し、一週間後のリアル収量を予想する。一般に、収穫の一週間前であれば、ある程度収量を正確に予測することが可能である。
【００６３】
Ｓ３６において、作業者がリアル予想収量を収穫日と共に作業者端末３０に入力すると、入力された情報が、Ｓ３７において、シミュレーションサーバ１０へと送信される。リアル予想収量を受信したシミュレーションサーバ１０においては、配分決定部５５が、当該作業番号内にバーチャルフィールドを有するユーザへの配分量を決定する（Ｓ３８）。
【００６４】
この収量配分は、当該フィールド内に生き残っているユニットの数である残存ユニット数に応じて行われる。例えば、当該作業番号内にユーザＡ，Ｂ，Ｃがそれぞれ所有する3個のフィールドＡ，Ｂ，Ｃが含まれ、各フィールドの初期ユニット数が5個の場合を想定する。リアル収量が最大収量の8割程度（ユニット数12個に相当）と予想され、作業者がＳ３６においてリアル予想収量を8割と入力した場合には、配分決定部５５は、リアル収穫物を各フィールドの残存ユニット数に応じて各ユーザに配分する。ここで、最大収量とは、フィールド内のユニットが全て順調に成長した場合の収量である。
【００６５】
フィールドＡ，Ｂ，Ｃの残存ユニット数がそれぞれ4個、3個、4個であったとすると、ユーザＡにユニット4個分、ユーザＢにユニット3個分、ユーザＣにユニット4個分を配分するように決定される。リアル収穫量がユニット数12個に相当するため、フィールドＡ，Ｂ，Ｃの残存ユニット数が合計11個であれば、不足無くリアル収穫物を配分することができる。
【００６６】
上述したように、本実施形態においては、リアル圃場の収量にバーチャル圃場の収量を連動させるように、栽培途中でバーチャル上の収量パラメータ（残存ユニット数、元気度）を調整している。したがって、通常であれば、配分量決定時に、リアル予想収量とバーチャル収量（残存ユニット数）とは近い数値になっているため、Ｓ３８においては、残存ユニット数に応じて各ユーザにリアル収穫物の配分を行うようにすれば良い。
【００６７】
一方、何らかの要因によってリアル予想収量がバーチャル収量（残存ユニット数）を下回ってしまった場合には、配分決定部５５は、上述した元気度によって残存ユニットの足切りを行うように制御する。
【００６８】
すなわち、当該作業番号に属する残存ユニットを元気度に従って順に並べ、リアル収量が不足するユニット数分だけ、元気度の小さい方から残存ユニットを足切りし、足切りされた残存ユニットを有するユーザには、足切りされた残存ユニット数分だけ収量配分を差し引いて配分する。
【００６９】
但し、本実施形態では、栽培シミュレーションゲームの成績が良くなく、元気度の低いユニットばかりのユーザに対しても、上述した最低ユニット数分の収量を保証するため、この足切りも最低ユニット数を保証するように行われる。つまり、足切り後の残存ユニット数が最低ユニット数を下回る場合には、当該ユーザのユニットの足切りを行わずに、次に元気度の低いユニットを有するユーザに対して足切りを行うようにする。
【００７０】
なお、本実施形態では、リアル予想収量が最低ユニット数を下回り、最低保障収量を分配することができないユーザが存在する場合には、当該ユーザに対して返金処理で対応するように設定されている。また、同じ作業番号内にユーザが一人の場合であっても残存ユニット数に応じて分配が行われる。
【００７１】
Ｓ３８で決定された各ユーザへの配分量は、Ｓ３９において、各ユーザ端末２０へと送信され、Ｓ４０において、各ユーザ端末２０上に表示される。この配分量の通知は、実際の収穫の一週間前に行われ、配分量を知ったユーザは、収穫物を自宅へ送ってもらったり、ネット上で販売したりするか等の選択を行い、サービス提供者に知らせることができる。
【００７２】
以上、詳細に説明した本実施形態によれば、栽培シミュレーションゲーム上のバーチャル農作物の栽培状況が、リアル圃場でのリアル農作物の栽培状況に連動して補正されるように構成されているので、実際の農作物に近く、現実性の高い栽培シミュレーションゲームをユーザに提供することができる。
【００７３】
また、リアル農作物の収量に連動させてバーチャル農作物の収量を補正することで、収穫時の収穫物の配分の際に、バーチャル農作物の収量に比べてリアル農作物の収量が大きく不足し、サービス提供者が過大な負担を負うのを防ぐこともできる。また、リアル農作物の収量減に連動してバーチャル農作物の収量を減少させることで、ユーザも収量が減少することを納得でき、収穫物が少ないことによる不満の発生を抑えることもできる。
【００７４】
以上、本発明の実施の形態について説明したが、本発明の実施の形態は、上記実施形態に限定されるものではなく、本発明の主旨を逸脱しない範囲内でさらに種々の変形が可能である。例えば、上述したシミュレーションサーバの機能は、単一のサーバではなく、複数のサーバで分散して行わせるようにしても良い。
【００７５】
また、上記実施形態では、作業者は作業者端末から各種情報を入力しているが、シミュレーションサーバの入力装置を使って直接サーバに入力するようにしても良い。
【符号の説明】
【００７６】
１      農作物栽培連動システム
５      ネットワーク
８      基地局
１０    シミュレーションサーバ
１１    演算装置
１３    記憶装置
１３１  プログラム格納部
１３２  ユーザ情報ＤＢ
１３３  農作物情報ＤＢ
１３４  コンテンツ情報ＤＢ
１３５  栽培状況ＤＢ
５１    自動成長部
５２    成長補正部
５５    配分決定部
２０    ユーザ端末
２３    ディスプレイ
３０    作業者端末
３１    キーボード
３２    カメラ
３３    ディスプレイ
【図１】
0005973153.tif 000002
【図２】
0005973153.tif 000003
【図３】
0005973153.tif 000004
【図４】
0005973153.tif 000005
【図５】
0005973153.tif 000006
【図６】
0005973153.tif 000007
【図７】
0005973153.tif 000008